(57)【要約】      （修正有）【課題】液晶位牌型遺影表示カレンダー式過去帳にフルオートカレンダーを内蔵することにより、唱題しながら年月日・曜日を簡単に確認することができ、またタイマー付き電波時計も内蔵することより、現時点の時刻を確認することもできるし、唱題の時間を設定して、終了時間をアラームで知らせることもできる。【解決手段】液晶過去帳１に内蔵されたフルオートカレンダーで年月日・曜日を、タイマー付き電波時計で時間を、液晶パネル７，８に故人情報とともに表示する。【選択図】図２
2011251076.tif 000002
【特許請求の範囲】
【請求項１】
本機はフルオートカレンダーを内蔵することにより、祥月命日や命日を自動的に知ることができるし、また唱題しながら現時点の年月日・曜日を簡単に確認することができることを特徴とする液晶位牌型遺影表示カレンダー式過去帳。
【請求項２】
本機はタイマー付き電波時計を内蔵することにより、時刻を確認することができ、またタイマー付きであることによって唱題する時間を設定することができ、終了時間がくるとアラームで知らせることもできることを特徴とする請求項１記載の液晶位牌型遺影表示カレンダー式過去帳。
【請求項３】
メモリカードを使用し、メモリカード内に遺影や戒名・俗名、死亡年月等の故人情報が書き込まれた日付がカレンダーの日付に合致すると当該故人情報が表示されるが、当該故人情報が無い場合は、「○○○家先祖代々之霊」と表示されることを特徴とする請求項１記載の液晶位牌型遺影表示カレンダー式過去帳。
【請求項４】
命日が同じ故人が複数いる場合の表示は、まず初めは全てスライドショーになるが、リモコンで、特定の故人に固定し表示することもできることを特徴とする請求項１記載の液晶位牌型遺影表示カレンダー式過去帳。
【発明の詳細な説明】
【技術分野】
【０００１】
本発明は、フルオートカレンダーとタイマー付き電波時計を内蔵した液晶過去帳に関するものである。
【背景技術】
【０００２】
従来の蛇腹式日めくり過去帳や所定日になると所要の記載事項を日替わりに表示する電子過去帳は過去の情報を仏壇に置いておくだけである。
【先行技術文献】
【特許文献】
【０００３】
【特許文献１】特開平７−７９８５６号公報
【特許文献１】特開平８−１７３３０８号公報
【特許文献１】特開平９−１５４７０９号公報
【発明の概要】
【発明が解決しようとする課題】
【０００４】
解決しようとする問題点は、従来の蛇腹式の過去帳や所定日になると所要の記載事項を日替わりに表示する電子過去帳は過去の情報を仏壇に置いておくだけで、現時点の年月日・曜日や時刻を確認する時、また何分間、何時間唱題しようと決めて経過や終了時間を確認する時には他所のカレンダーや時計を見なければならないので不便であった。
【課題を解決するための手段】
【０００５】
本発明は、液晶過去帳に内蔵されたフルオートカレンダーで年月日・曜日や、タイマー付き電波時計で時間を、液晶パネルに故人情報とともに表示することを最も主要な特徴とする。
【発明の効果】
【０００６】
本発明は、フルオートカレンダーが内蔵されることにより、祥月命日や命日を自動的に知ることができ、また唱題しながら年月日・曜日を簡単に確認することができ便利である。
【０００７】
本発明は、タイマー付き電波時計が内蔵されることにより、現時点の時刻を確認することができ、またタイマー付きであることによって唱題する時間を設定し、途中経過を確認することができ、終了時間がくるとアラームで知らせることもできる。
【０００８】
本発明はメモリカードを使用することにより、メモリカードに記憶された故人の遺影画像や戒名・俗名の文字等の情報のある祥月命日及び命日が、カレンダーの月日に合致すれば液晶パネルに表示し、カレンダーの月日に合致する故人情報が無ければ「○○○家先祖代々之霊」と表示することができる。
【０００９】
本発明は祥月命日や命日が同じ故人が複数いる場合の表示は、まず初めは全てスライドショーになるが、リモコンで、特定の故人に固定して表示することもできる。
【図面の簡単な説明】
【００１０】
【図１】液晶位牌型遺影表示カレンダー式過去帳の構成を示したブロック図である。
【図２】液晶位牌型遺影表示カレンダー式過去帳の外観を示した斜視図である。
【図３】液晶位牌型遺影表示カレンダー式過去帳と関連装置のフローを示した説明図である。
【発明を実施するための形態】
【００１１】
図１は、液晶位牌型遺影表示カレンダー式過去帳の構成を示すブロック図である。図１に示すように、本発明の液晶位牌型遺影表示カレンダー式過去帳１は、ＣＰＵ２と、フルオートカレンダーの情報記憶格納出力部４とタイマー付き電波時計の情報記憶格納出力部５とメモリカードの情報処理部６と情報合致検索記憶格納出入部３と、カレンダーの日付と合致したメモリカードの故人関係の情報表示液晶パネル７と年月日・曜日、時刻等の情報表示液晶パネル８を備える。
図２は、液晶位牌型遺影表示カレンダー式過去帳の外観を示した斜視図である。図２に示すように、液晶位牌型遺影表示カレンダー式過去帳１は、カレンダーの日付と合致した故人関係の情報表示液晶パネル７と、年月日・曜日、時刻等の情報表示液晶パネル８と、メモリカード挿入口９、赤外線受光部１０、バッテリー挿入口  11を備える。
【００１２】
フルオートカレンダーの年月日・曜日情報にメモリカード内の故人の祥月命日及び命日情報が合致すると当該故人関係の情報が情報表示液晶パネル７に、電波時計より受信した時刻は年月日・曜日、時刻の情報表示液晶パネル８にともに表示され、当該故人情報が無い場合は、「○○○家先祖代々之霊」とあらかじめ記憶されてあるメモリカード１３内の情報が表示される。
【００１３】
タイマー付き電波時計を内蔵することにより、５分刻みに２時間まで時間設定をすることとし、時計は分単位までを表示し、操作はリモコンで行い、終了時間をアラームで知らせることもできるようにする。
【００１４】
液晶位牌型遺影表示カレンダー式過去帳１に表示できるように故人に関する紙焼き写真やデジタル写真の画像や文字データ１６を情報表示可能処理変換装置１２によって、月日を指定して作成された故人情報がフルオートカレンダーの月日に合致したら表示するように変換処理されたメモリカード１３を作製して使用する。
【００１５】
メモリカード１３に記憶された情報で、月日が同じ故人情報が複数ある場合は情報合致検索記憶格納出入力部３で同日に表示時するよう処理される。
【００１６】
情報合致検索記憶格納出入力部３に同日の情報が複数あればスライドショーか固定表示か情報選択処理部１４で処理され、まず初めは全てスライドショーになるが、リモコン１５の操作により特定の故人情報表示に固定することもできる。
【００１７】
図３は、メモリカード１３の情報作製までのフロー図である。図３に示すように、紙焼き写真やデジタル写真の画像や文字データ１６と、情報の表示可能処理変換装置１２とメモリカード１３と表示部である液晶位牌型遺影表示カレンダー式過去帳１である。
【００１８】
液晶位牌型遺影表示カレンダー式過去帳１に表示する紙焼き写真やデジタル写真の画像や文字データ１６などを郵送するか、電子メールで送り、当該データを本機外の情報表示可能処理変換装置１２で表示可能なデジタル情報に変換したメモリカード１３を作り、それを受取り、表示装置である液晶位牌型遺影表示カレンダー式過去帳１のメモリー挿入口９にセットしてカレンダーの日付に合致した日付の当該情報を表示する。
【００１９】
メモリカード１３にはカレンダーの日付全てにあらかじめ、「○○○家先祖代々之霊」と記憶・作製してあるが、当該日付に新情報が入力されると上書きされる。  
【００２０】
電源はバッテリーを使用し、全ての操作はリモコンで行う。
【符号の説明】
【００２１】
１    液晶位牌型遺影表示カレンダー式過去帳
２    ＣＰＵ
３    情報合致検索記憶格納出入部
４    フルオートカレンダーの情報記憶格納出力部
５    タイマー付き電波時計の情報記憶格納出力部
６    メモリカードの情報処理部
７    カレンダー日付と合致した故人関係の情報表示液晶パネル
８    年月日・曜日、時刻の情報表示液晶パネル
９    メモリカード挿入口
１０    赤外線受光部
１１    バッテリー挿入口  
１２    情報表示可能処理変換装置
１３    メモリカード
１４    スライドショーか固定表示か情報選択処理部
１５    リモコン
１６    紙焼き写真やデジタル写真の画像や文字データ
【図１】
2011251076.tif 000003
【図２】
2011251076.tif 000004
【図３】
2011251076.tif 000005